(57)【要約】【課題】ノートに何が記載されていたのか後日立証することが容易であり、かつ、機械式コピーを用いることなくその場で複写をすることができる、ノートの集合体及び該集合体を構成する個々のノートを提供すること。【解決手段】本発明の複写式ノート集合体は、複数のノートから成るノートの集合体であって、各ノートは、複写式になった２枚一組の頁を複数組綴じたものであり、各２枚一組の頁のそれぞれに、同一の、かつ、前記集合体に含まれる全てのノートの全ての組において唯一の番号、文字若しくは記号又はこれらの組み合わせが記載されている。【選択図】  なし【特許請求の範囲】
【請求項１】
複数のノートから成るノートの集合体であって、各ノートは、複写式になった２枚一組の頁を複数組綴じたものであり、各２枚一組の頁のそれぞれに、同一の、かつ、前記集合体に含まれる全てのノートの全ての組において唯一の番号、文字若しくは記号又はこれらの組み合わせが記載されている、複写式ノート集合体。
【請求項２】
前記番号、文字若しくは記号又はこれらの組み合わせは、集合体におけるノートの通し番号と、各ノート中での組の通し番号を含む請求項１記載の複写式ノート集合体。
【請求項３】
各２枚一組の頁の２枚目には、該２枚目が複写物であることを示す表示が記載されている請求項１又は２記載の複写式ノート集合体。
【請求項４】
各２枚一組の頁の２枚目には、該２枚目をノートから不可逆的に離脱させることを容易にする離脱容易化手段が設けられている請求項１ないし３のいずれか１項に記載の複写式ノート集合体。
【請求項５】
各頁には、方眼目盛りが記載されている請求項１ないし５のいずれか１項に記載の複写式ノート集合体。
【請求項６】
各ノートには、厚紙製の下敷きが、離脱可能に綴じられている請求項１ないし６のいずれか１項に記載の複写式ノート集合体。
【請求項７】
請求項１ないし６のいずれか１項に記載の複写式ノート集合体に含まれる個々のノート。
【発明の詳細な説明】
【発明の属する技術分野】
【０００１】
本発明は、ノートに何が記載されていたのか後日立証することが容易であり、かつ、機械式コピーを用いることなくその場で複写をすることができる、ノートの集合体及び該集合体を構成する個々のノートに関する。本発明のノートは、発明日の立証等が後日必要になるかもしれない実験ノートや、業務日誌、会議の記録等に特に有用である。
【０００２】
【従来の技術】
米国特許法は先発明主義を採用しており、米国特許を取得する上で、後日、発明日を立証し得ることは重要である。数年前の米国特許法の改正により、米国以外の国でなされた発明に対しても先発明主義が適用されるようになった。このため、我国の研究者の間でも、後日の記載内容の立証が容易な、いわゆる「ラボノート」が用いられるようになってきている。市販のラボノートは、基本的に、耐久性のある装丁に綴じられて着脱できない頁に頁番号が付されたものである。各頁には、日付欄、プロジェクト名等を記載する欄、自己及び第三者（共同研究者や上司等）署名欄等が印刷され、方眼目盛りも記載されている。ルーズリーフのように頁を着脱したりすることはできず、また、各頁に頁番号が付されているので、頁の切り離しが行われた場合には、そのことがわかるようになっている。
【０００３】
【発明が解決しようとする課題】
しかしながら、公知のラボノートでは、後日に追記した疑いを完全に払拭することはできない。例えば、ある頁に、１年後に追記したとしても、同種類の筆記具を用いて追記すれば、さらにその３年後に立証の必要が生じたとしても、１年後の追記を見破ることは困難であろう。つまり、その頁の記述内容がその日付の日に記載されたということを完全に立証することは困難である。
【０００４】
また、実験ノートは、研究者や組織にとって極めて重要なものであるから、盗難や滅失に備えてコピーをとっておくことが望まれる。しかしながら、従来のラボノートでは、機械式コピーを用いてコピーを取らなければならず、面倒である。また、仮に原本のノートを紛失した場合、機械式コピーを用いた複写物では記載内容が真正であることを立証することは困難である。また、他人との交渉の場面や、他人に対する技術ノウハウ等の開示の場面において、その場で記載したメモランダムを両当事者で所有することもしばしばあるが、会議室や実験室に機械式コピーがない場合も多く、そのような場合には他の場所までコピーをとりに行かなければならず、コピーを取りに行く最中に記載内容の変更が行われたり用紙がすり換えられたりする疑念も完全に払拭することはできない。
【０００５】
したがって、本発明の目的は、ノートに何が記載されていたのか後日立証することが容易であり、かつ、機械式コピーを用いることなくその場で複写をすることができる、ノートの集合体及び該集合体を構成する個々のノートを提供することである。
【０００６】
【課題を解決するための手段】
本願発明者は、鋭意研究の結果、複写式になった２枚一組の頁を複数組綴じたノートであって、各２枚一組の頁のそれぞれに、同一の、かつ、そのノートの他の組及び他のノートのいずれの組とも異なる固有の番号を記載しておき、各頁に記載後、各組の２枚目を切り離し、別の場所に保管しておくことにより、上記目的を達成できることに想到し、本発明を完成した。
【０００７】
すなわち、本発明は、複数のノートから成るノートの集合体であって、各ノートは、複写式になった２枚一組の頁を複数組綴じたものであり、各２枚一組の頁のそれぞれに、同一の、かつ、前記集合体に含まれる全てのノートの全ての組において唯一の番号、文字若しくは記号又はこれらの組み合わせが記載されている、複写式ノート集合体を提供する。また、本発明は、上記本発明の複写式ノート集合体を構成する個々の複写式ノートを提供する。
【０００８】
【発明の実施の形態】
本発明のノート集合体は、複数のノートを含む。「複数」は、特に限定されないが、後述する、各ノートの各頁の組に付されている固有の番号、文字若しくは記号又はこれらの組み合わせ（以下、便宜的に「組固有番号等」と略することがある）が、この世に２つと同じものが存在しないことが好ましいので、需要に応じ得る充分な数である。例えば、文具メーカーが、汎用の実験ノートを市販する場合には、数十万冊以上になるかもしれないし、各大学や各研究所等の組織が、その組織の名前や略称等が入った専用の実験ノートを作製するのであれば、人員の規模に応じて数千冊ないし数十万冊かもしれない。通常、メーカー又は組織が一時に発行する同種のノート（同一ロット）には、同じ組固有番号等が２つと存在しないことが好ましく、この場合には、そのロット全体を集合体と捉えることができる。もっとも、後述のように、組固有番号等を通し番号あるいは通し番号と発行年の年号の組み合わせ等により記載する場合には、集合体に含まれるノート数は、未来永劫増やし続けることができ、この態様が好ましい。この場合には、そのメーカー又は組織が発行し、同一の組固有番号等が２つと存在しないノートの集合体を、発行された時期に関係なく本発明で言う「集合体」と捉えることもできる。
【０００９】
各ノートは、複写式になった２枚一組の頁を複数組綴じたものである。すなわち、２枚一組の１枚目にボールペン等で文字等を書けば、その筆圧により２枚目にその文字等が複写されるものである。このような複写方式は、伝票や種々の申し込み用紙等で広く用いられている。ある組の２枚目と、次の組の１枚目は、複写式になっていない。もっとも、ノートにそのままある組の１枚目に文字を書けば、次の組の２枚目にも複写されてしまうので、ある組の２枚目と、次の組の１枚目の間に下敷きを挟んで文字等を記載するようにする。
【００１０】
２枚一組の各組には、その組に固有の番号等（組固有番号等）が記載されている。各組の１枚目と２枚目には、同じ組固有番号等が記載される。この組固有番号等は、集合体の中において、この組以外には存在しない、この組に固有のものである。組固有番号等は、特に限定されないが、集合体におけるノートの通し番号と、各ノート中での組の通し番号とを含むと便利であり好ましい。ノートの通し番号を採用すれば、年数が経って発行ノート数がどんどん増えても重複を容易に避けることができるので好ましいが必ずしも通し番号に限定されるものではない。また、例えば、ある会社、大学、研究所等の特定の組織専用のノートの場合には、その組織名又は略称を併記することができる。そうすれば、その組織名又は略称を記載したノートは、その組織に固有のものとなるから、通し番号をその組織が一元的に管理して付与することによって、その組固有番号等がこの世に２つとないものとすることを容易に達成できるので好ましい。また、通し番号にノートの発行年の年号を併記することもできる。そうすると、その年に発行される数のノートに通し番号を付与すれば足りるので、年数が経っても通し番号の桁数を一定の範囲内にとどめることができる。
【００１１】
２枚一組の頁には、各ノートにおける通し番号（頁番号）をさらに記載することが好ましい。この場合にも、各組の１枚目と２枚目には同じ番号が記載される。各ノートにおける通し番号を併記することにより、ノートからの頁の切り離し等が容易にわかるようにすることができる。このような頁番号は、上記の通り、組固有番号等の一部に含めることが好ましい。
【００１２】
２枚一組の頁の２枚目には、それが複写であることを示す表示、例えば「ＣＯＰＹ」等の表示を付しておくと、それが複写であることが容易にわかり、また、下敷きを挟むべき箇所が容易に識別できるので好ましい。
【００１３】
２枚一組の頁の２枚目には、該２枚目をノートから不可逆的に離脱させることを容易にする離脱容易化手段が設けられていることが好ましい。離脱容易化手段は、ミシン目が好ましいがこれに限定されるものではない。また、２枚目には、ノートから分離した頁をファイリングしやすいように、ファイリング用の孔を２つあるいは４つ開けておいてもよいが、穴の数はこれに限定されるものではない。
【００１４】
さらに、各ノートの各頁の組には、２枚一組の頁の２枚目をノートから不可逆的に離脱させた日付を記載する欄（ＤＡＴＥ  ＯＦ  ＤＥＴＡＣＨＭＥＮＴ）および署名する欄（ＳＩＧＮＡＴＵＲＥ）を設けることにより、頁の切り離しが行われた年月日を明らかにすることが出来る。
【００１５】
各頁（各組の１枚目及び２枚目）には、従来のラボノートと同様、方眼目盛りを記載しておくと便利である。この方眼目盛りの大きさは、特に限定されないが、例えば１／６インチにしておくと、パソコンの各種アプリケーションで作成した文書の行間あるいは測定機器に附属するプリンターで印刷されたデータの行間と合致する場合が多く便利である。もっとも、方眼の大きさは、任意に所望のものを採用することができ、５  ｍｍ方眼や１  ｃｍ方眼等であってもよいことは言うまでもない。方眼目盛りの他に、公知のラボノートと同様に、日付記入欄、署名欄、実験名又はプロジェクト名記入欄等の種々の記入欄を記載しておいてもよい。
【００１６】
本発明のノートを使用する際、上記のようにある組の２枚目と、次の組の１枚目の間に下敷きを挟んで使用する。この下敷きとしては、通常の市販の下敷きを用いることができる。もっとも、厚紙で下敷きを構成し、これを離脱可能に、例えばミシン目等を設けてノートに綴じ込んでおいてもよい。このようにすれば、わざわざ別途下敷きを準備する必要がないので便利である。
【００１７】
例えば、略称が「ＸＹＺ」である研究所が、この研究所の研究者に配布するための実験ノート（１冊当たり頁数２００頁、２枚１組の１００組分）を１万冊作製する場合、各頁の記載内容の好ましい例として、下記表１と表２（表２は表１の続き）及び表３と表４（表４は表３の続き）に記載のものを例示することができる。
【００１８】
【表１】
表１
2004291422.tif 000002
【００１９】
【表２】
表２
2004291422.tif 000003
【００２０】
【表３】
表３
2004291422.tif 000004
【００２１】
【表４】
表４
2004291422.tif 000005
【００２２】
表１と表２に記載した例のように、「ＸＹＺ−００００１−００１」等で示される組固有番号等は、１００００冊のノート集合体の中において、同じものが２つと存在しない。これにより、ある頁が、どのノートの第何頁かということが直ちに特定できる。また、各組固有番号等の末尾の３桁は、各ノート中での頁の通し番号になっており、そのノートの第何頁かということが直ちに特定できる。また、表３と表４に記載した例のように、「ＸＹＺ−００００００００１−００１」等で連続の通し番号で組固有番号を示しても、１００００冊のノート集合体の中において、同じものが２つと存在しないし、ある頁が、どのノートの第何頁かということも直ちに特定できる。さらに、「ＣＯＰＹ」表示の有無により、各組の１枚目（原本）か２枚目（複写）かということが直ちに特定できる。なお、表３と表４の例の場合には、中央の「００００００００１」等の部分だけで、どのノートの第何組かが特定できるようになっている。
【００２３】
表１と表２に記載した例では、集合体中のノートの数は１万冊であるが、年月が経過して、新しい実験ノートを新たに発行する場合には、ノートの通し番号を前回発行した次の番号から、すなわち、１０００１からの通し番号とすることが好ましい。そうすれば、過去に発行されたノートも含めて、同じ組固有番号等が２つと存在しないようにすることができる。表３と表４に記載した例でも、集合体中のノートの数は１万冊であるが、年月が経過して、新しい実験ノートを新たに発行する場合には、ノートの通し番号を前回発行した次の番号から、すなわち、００１０００１０１からの通し番号とすることが好ましい。そうすれば、過去に発行されたノートも含めて、同じ組固有番号等が２つと存在しないようにすることができる。
【００２４】
次に、各ノートの使用方法を説明する。なお、以下には、本発明のノートの効果を有効に利用する使用方法を説明するが、ノートの使用方法自体は、各ユーザーの自由であり、本発明の範囲が特定の使用方法に限定されるものではないことは言うまでもない。
【００２５】
ある組の２枚目と、次の組の１枚目の間に下敷きを挟んで書き込みを行うことは上記の通りである。公知のラボノートと同様、日付やプロジェクト名を記載すること並びに記載終了後には、記入者及び／又は第三者の署名をしておくことも好ましい。後日における発明日の立証等に力点を置いた使用方法では、記載後、できればその日のうちに各組の第２枚目をノートから分離し、別途ファイルする。このファイルは、特に限定されないが、組織内部の特定の部署で、鍵のかかるキャビネット等で厳重に保管することが好ましい。この部署が受け付けた日付入りの受領印等を押印してもよい。
【００２６】
このようにすることにより、機械式コピーを用いることなく実験ノートの複写物を別の場所で保管することができ、盗難や滅失に備えることができる。さらに、後日、発明日の立証等のために、記入日における記載内容の立証の必要が生じた場合には、ノートの原本と、複写ファイルとの記載内容を照合することにより、記載内容の立証が容易になる。各組は、複写式になっているので、後日に追記しようとしても、原本と複写ファイルの両方がなければ追記はできない。したがって、複写ファイルを特定の部署で別途厳重に保管しておけば、本人が追記しようとしてもできない。しかも、原本と複写ファイルの両方が揃ったとしても、２枚目は一旦ノートから分離しているので、再度重ねて書いても微妙にずれるし、少なくとも微妙にずれるかもしれないということが容易に予想できるので、後から書き込むことは心理的に困難である。したがって、ノートの原本と、複写ファイルとの記載内容を照合することにより、記載内容が容易に立証可能である。
【００２７】
第三者との面談等において、コピーを交付することに力点をおいた使用方法では、第三者との面談の内容や合意内容、ノウハウ等の教示内容をノートに書き、その場で２枚目をノートから分離してその第三者にその場で渡す。そうすると、わざわざ機械式コピーでコピーを取る必要がないばかりではなく、機械式コピーでコピーを取りに出かけていく間に記載内容が変更されたり、すり返られたりする可能性が完全に排除される。さらに、後日、原本と複写物との一方だけに追記すると、両者を照合すれば追記したことが直ちにわかるのでこのようなことはできない。
【００２８】
なお、上記の説明では、実験ノートを例に説明したが、本発明のノートは実験ノートに限定されるものではなく、後日の改竄を完全に防止することが望まれる、業務日誌、議事録等の他の種々の目的に用いられるノートとしても利用可能である。
【００２９】
【発明の効果】
以上のように、本発明のノート集合体によれば、各ノートに何が記載されていたのか後日立証することが容易であり、かつ、機械式コピーを用いることなくその場で複写をすることができる。